(57)【要約】【課題】既存のアンテナ支持柱を用いて、新規なデータ通信用アンテナを、容易且つ迅速に取り付けることができる。【解決手段】通信アンテナの取替工法において、既存のアンテナをボルトごとアンテナ支持柱から撤去し、上下にボルト９を同方向横向きに突出させたサブポール８の、前記上下のボルト９を、アンテナ支持柱１の上下の取付金具３の孔に通してナットにより固定し、当該サブポール８に、新規なアンテナ１１の一側の上下から突出する係止金具１２を固定して取り付け、前記サブポール８の上下のボルト９は、サブポール８の長手方向に摺動及び固定自在でありかつ当該サブポール８の軸を中心に回転及び固定自在であり、前記係止金具１２はボルト、ナットによりサブポール８に固定自在な構成である。【選択図】      図２
2012209740.tif 000002
【特許請求の範囲】
【請求項１】
通信アンテナの取替工法において、
既存のアンテナをボルトごとアンテナ支持柱から撤去し、上下にボルトを同方向横向きに突出させたサブポールの、前記上下のボルトを、アンテナ支持柱の上下の取付金具の孔に通してナットにより固定し、
当該サブポールに、新規なアンテナの一側の上下から突出する係止金具を固定して取り付け、
前記サブポールの上下のボルトは、サブポールの長手方向に摺動及び固定自在でありかつ当該サブポールの軸を中心に回転及び固定自在であり、
前記係止金具はボルト、ナットによりサブポールに固定自在な構成であることを特徴とする、通信アンテナの支持取替え工法。
【請求項２】
通信アンテナの取替工法において、
既存のアンテナをボルトごとアンテナ支持柱から撤去し、地上で予め新規なアンテナの一側の上下から突出する係止金具をサブポールに取り付けてサブポールに新規なアンテナを固定し、
高所で当該サブポールの上下から同方向横向きに突出するボルトをアンテナ支持柱の上下の取付金具の孔に通してナットにより固定し、
前記サブポールの二つのボルトは、サブポールの長手方向に摺動及び固定自在であり、かつ当該サブポールの軸を中心に回転及び固定自在であり、
前記係止金具はボルト、ナットによりサブポールに固定自在な構成であることを特徴とする、通信アンテナの支持取替え工法。
【請求項３】
アンテナ支持柱の上下に設けた取付金具に、サブポールの上下から同方向横向きに突出するボルトを通してナットにより取付られ、
当該サブポールの二つのボルトは当該サブポールの長手方向に摺動及び固定自在でありかつ当該サブポールの軸を中心に回転及び固定自在であり、
当該サブポールに、新規なアンテナの一側から突出した係止金具を、ボルト、ナットにより取り付けて固定したことを特徴とする、通信アンテナの支持構造。
【請求項４】
前記サブポールの二つのボルトは、各ボルトの一端に、サブポールの外周に被せる断面弧状の第１の当て板を固定し、
当該第１の当て板に対向し、前記サブポールの外周に被せる断面弧状の第２の当て板を別途設け、
これらの第１の当て板及び第２の当て板を前記サブポールの外周に被せてこれらの当て板をボルト、ナットで固定し、
かつ第２の当て板を貫通する固定ボルトを当該第２の当て板に螺着し、前記サブポールに当該固定ボルトの先端を押圧自在としたことを特徴とする、請求項３に記載の通信アンテナの支持構造。
【発明の詳細な説明】
【技術分野】
【０００１】
この発明は、これまで携帯電話等の通信基地局として使用してきた基地局を、新システムを用いた移動体通信基地局にリニューアルするにあたり、工事コスト削減ならびに、廃棄物減少の意図から、既設のアンテナ支持柱を流用して新システムアンテナを取付けるための取替え工法と既設支持柱に取付けていた既設アンテナと取付け部分が全く異なる構造の新設アンテナを既設支持柱に取付けるための構造に関するものである。
【背景技術】
【０００２】
従来、基地局としての通信アンテナには種々のものがあり、それぞれ構造上の相違から取付け方法が異なっている。例えば、図６及び図７に示すように、アンテナ支持柱１に、上下に間隔をあけて設けた２つのアーム２に、アングル材から成る取付金具３を設け、アンテナ４の上下から同方向に横に突出するボルト５（アンテナ自体の構造の一部として存在し、着脱が不可能）を設け、当該ボルト５を前記上下の相応する前記取付金具３に係止し、ナット６で固定していた。また、これと類似した構造のものでは特許文献１のものがある。
【０００３】
当該基地局においては、図６及び図７の既設のアンテナの老朽化等の理由から、新システムと現用システムを共用できるアンテナに交換する必要が生じている。
【０００４】
既設支持柱の構造は、既設アンテナの構造上から前述の様に既設支持柱自体に既設アンテナの構造の一部であるボルト５の上下の間隔に合わせた位置にアーム２を装備した鋼管材を支持柱の部材の一部として使用している。今回使用する新システムアンテナは、アンテナ自体の長さや支持柱への取付構造が前述のそれと全く異なるため、既設の取付け方法では新設アンテナを既設支持柱に取り付けることができない。
【０００５】
そのため、新設アンテナと支持柱間にサブポールを設け、サブポールを介して、既設アンテナ支持柱へ取付けを可能な構造にしなければ、既設支持柱を流用しての新設アンテナの取付けができない。そのため現状では、既設のアーム２ならびに鋼材から成る取付金具３の上下間隔ならびに既設アンテナの一部として存在するボルト５の上下間隔を、設計段階で支持柱に昇柱してスケッチ並びに取付間隔寸法の精密な測定を実施し、その結果を受けてサブポールの設計を、既設アンテナのボルト５の間隔と向きと同様の間隔と向きで、サブポール自体に前記ボルト５と同サイズのボルトを溶接にて固定し、既設支持柱のアーム２と鋼材から成る取付金具３への取付けを可能にしていた。
【０００６】
【特許文献１】特開２００５−２６８３９号公報
【発明の開示】
【発明が解決しようとする課題】
【０００７】
しかしながら、この設計に当たってのスケッチ並びに精密測定は、不安定な足場上での作業のため熟練電工もしくは鳶工が行うことが必須であり、そうしたスキルを有した熟練電工や鳶工は希少であるため、適時に配置することが難しく、事前の調整を含め予定がたて難い。また、コストもかかる。
【０００８】
また、こうした調査は、携帯電話事業者にとって現用設備上でのスケッチ並びに精密測定のため軽微な作業として捉えられており、停波作業（サービス停止）となっていない。つまり、電波が輻射された状態でのアンテナ直近作業を余儀なくされている。これは作業員が電磁波に曝露された状態での作業であり労働安全衛生上軽視できない問題である。また、不安定な足場上での高所作業なので、作業中不慮の事態（アンテナ損傷やフィーダー損傷等）が発生した場合のライフラインが途切れるという社会的影響のリスクや、作業員の墜落等の作業安全に関するリスクも高い。
【０００９】
また、サブポールの製作にあたっては、スケッチや寸法測定したボルトの方向と間隔を正確に反映したサブポール製作のため、熟練溶接工の高度な溶接技術と、防錆めっき時のボルト方向と間隔の変異を防ぐための最適な鋼材の選択が必要となる。また、以上のことから設計製作に長期の工程を要する。
【００１０】
現状のサブポールを使用してのアンテナ取替作業を実施する上で、厳守しなければならない作業条件としては停波作業時間１時間で取替作業をしなければならない。これにはやはり高度な技術を持つ熟練電工若しくは鳶工が必要である。また、取替作業時に製作不具合などからの取付け作業遅延（停波時間遅延）若しくは中止のリスク（中止となった場合でも停波時間に変更・延長は認められず、遅延の場合事故扱いとなる）が発生するため、サブポールへのボルト５の取付け方法を構造上改善し、事前調査の簡素化と取替作業時の製作不具合に伴う停波遅延を回避する必要がある。
【００１１】
そこで、この発明はこれらの従来技術に鑑み、既存のアンテナ支持柱を用いて、新規なデータ通信用アンテナを、容易且つ迅速に取り付けることができる取替え工法及びその支持構造を提供することを目的としたものである。
【課題を解決するための手段】
【００１２】
請求項１の発明は、通信アンテナの取替工法において、既存のアンテナをボルトごとアンテナ支持柱から撤去し、上下にボルトを同方向横向きに突出させたサブポールの、前記上下のボルトを、アンテナ支持柱の上下の取付金具の孔に通してナットにより固定し、当該サブポールに、新規なアンテナの一側の上下から突出する係止金具を固定して取り付け、前記サブポールの上下のボルトは、サブポールの長手方向に摺動及び固定自在でありかつ当該サブポールの軸を中心に回転及び固定自在であり、前記係止金具はボルト、ナットによりサブポールに固定自在な構成である、通信アンテナの支持取替え工法とした。
【００１３】
また、請求項２の発明は、通信アンテナの取替工法において、既存のアンテナをボルトごとアンテナ支持柱から撤去し、地上で予め新規なアンテナの一側の上下から突出する係止金具をサブポールに取り付けてサブポールに新規なアンテナを固定し、柱上で当該サブポールの上下から同方向横向きに突出するボルトをアンテナ支持柱の上下の取付金具の孔に通してナットにより固定し、前記サブポールの二つのボルトは、サブポールの長手方向に摺動及び固定自在であり、かつ当該サブポールの軸を中心に回転及び固定自在であり、前記係止金具はボルト、ナットによりサブポールに固定自在な構成である、通信アンテナの支持取替え工法とした。
【００１４】
また、請求項３の発明は、アンテナ支持柱の上下に設けた取付金具に、サブポールの上下から同方向横向きに突出するボルトを通してナットにより取付られ、当該サブポールの二つのボルトは当該サブポールの長手方向に摺動及び固定自在でありかつ当該サブポールの軸を中心に回転及び固定自在であり、当該サブポールに、新規なアンテナの一側から突出した係止金具を、ボルト、ナットにより取り付けて固定した通信アンテナの支持構造とした。
【００１５】
また、請求項４の発明は、前記サブポールの二つのボルトは、各ボルトの一端に、サブポールの外周に被せる断面弧状の第１の当て板を固定し、当該第１の当て板に対向し、前記サブポールの外周に被せる断面弧状の第２の当て板を別途設け、これらの第１の当て板及び第２の当て板を前記サブポールの外周に被せてこれらの当て板をボルト、ナットで固定し、かつ第２の当て板を貫通する固定ボルトを当該第２の当て板に螺着し、前記サブポールに当該固定ボルトの先端を押圧自在とした、請求項３に記載の通信アンテナの支持構造とした。
【発明の効果】
【００１６】
請求項１〜４の発明では、既存のアンテナ支持柱にサブポールを取付け、さらに当該サブポールに新規なアンテナを取付ける工法としたため、既存のアンテナを撤去し、既存のアンテナ支持柱のアームを取付金具とともに、そのまま用いて、新規な、長さの異なるアンテナに取替えることができ、取替え作業の簡素化及び作業コストを低減できる取替え工法である。
【００１７】
また、サブポールの上下に設けた二つの各ボルトを、当該サブポールの長手方向に摺動及び固定自在でありかつ当該サブポールの軸を中心に回転及び固定自在としたため、既存のアンテナ支持柱の上下の取付金具への前記サブポールの各ボルトの取り付けに際し、位置や方向の調整ができ、容易にかつ迅速にサブポールを取付けることができる。また、新規なアンテナのサブポールへの取付けは、アンテナの上下に設けた係止金具のボルト、ナットによる取付けのため、取付けは極めて容易である。
【００１８】
従って、従来、アンテナ支持柱の上下の取付金具の間隔を正確に測定することが必要であり、その測定に手間がかかっていたが、この工法では、当該事前の測定の精度が要求されず、それ故、事前測定が容易、迅速となる。また、周波数帯域によってアンテナの長さが変わっても、各アンテナの一側上下から突出する係止金具の位置を前記サブポールの長さに合わせて設ければ、種々のアンテナを既存のアンテナ支持柱に支持することができる。
【００１９】
また、特に請求項２によれば、地上で予め新規なアンテナの一側の上下から突出する係止金具をサブポールに取り付けてサブポールに新規なアンテナを固定するため、柱上では、サブポールをアンテナ支持柱に取り付ければよく、取替え作業がより迅速に行え、かつ、柱上での作業量が少ないため、より安全である。
【００２０】
また、請求項４の発明によれば、各ボルトのサブポールへの取り付けに当たり、前記ボルトを有する第１の当て板と第２の当て板とをサブポールに被せて、これらの当て板相互をボルト、ナットで締め付け、ボルトを固定するが、さらに固定ボルトを締め付けて、当該固定ボルトをサブポールに押圧するため、より強固にボルトをサブポールに固定でき、耐久性を有する構造である。
【発明を実施するための最良の形態】
【００２１】
この発明は、通信アンテナの取替工法において、既存のアンテナをボルトごとアンテナ支持柱から撤去し、上下にボルトを同方向横向きに突出させたサブポールの、前記上下のボルトを、アンテナ支持柱の上下の取付金具の孔に通してナットにより固定し、当該サブポールに、新規なアンテナの一側の上下から突出する係止金具を固定して取り付け、前記サブポールの上下のボルトは、サブポールの長手方向に摺動及び固定自在でありかつ当該サブポールの軸を中心に回転及び固定自在な構成である、通信アンテナの支持取替え工法とした。
【００２２】
この様に、既存のアンテナ支持柱にサブポールを取付け、さらに当該サブポールに新規なアンテナを取付ける工法としたため、既存のアンテナを撤去し、既存のアンテナ支持柱をそのまま用いて、新規な、長さの異なるアンテナに取替えることができる。
【実施例１】
【００２３】
以下、この発明の実施例１を図に基づいて説明する。図１はこの発明のアンテナの支持構造を示す側面図、図２はこの発明のアンテナ支持構造の取付金具、サブポール及びアンテナを示す拡大側面図、図３は同サブポールのボルトの取付構造を示す側面図、図４は同サブポールのボルトの取付構造を示す平面図、図５は同アンテナの係止金具を示す平面図である。
【００２４】
図１に示すように、既存のアンテナ支持柱１は適宜の構造物７に支持固定されている。このアンテナ支持柱１の上部に上下に間隔をあけて二つのアーム２が固定され、各アーム２に平面視において放射状三方に、アングル材から成る取付金具３が設けられている。この既存のアンテナ支持柱１の構成は、前記図６及び図７の従来のものと同じである。
【００２５】
既存のアンテナ支持柱１の三方に設けられた上下の相応する各取付金具３に、各サブポール８の上下から同方向に突出したボルト９が固定されている。この固定は各取付金具３の孔３ａにボルト９を通し、当該孔３ａの前後のボルト９にナット１０を螺着したものである（図３及び４参照）。また、これらの３個の各サブポール８の外側に、それぞれ新規なアンテナ１１が、各アンテナ１１の上下に設けた係止金具１２によって取付けられている。
【００２６】
前記サブポール８の各ボルト９の固定は、図３及び図４に示すように、ボルト９の基部の一端に、前記サブポール８の外周に被せる、断面孤状の第１の当て板１３を固定し、また、この第１の当て板１３と対向してサブポール８の外周に被せる、断面孤状の第２の当て板１４を設け、これらの第１の当て板１３と第２の当て板１４をサブポール８に被せ、これらの端縁から突出した突出片１３ａ及び１４ａを対向させ、これらの突出片１３ａ及び１４ａに夫々設けた透孔にボルト１５を通して当該ボルト１５の端部でナット１６を螺着して各ボルトをサブポール８に固定している。
【００２７】
また、前記第２の突出片１４に透孔（図示省略）を穿ち、当該透孔に合わせて外周にナット１７を固定し、当該ナット１７に固定ボルト１８を螺着し、当該固定ボルト１８の先端を前記第２の当て板１４の前記透孔からサブポール８の外周に押圧自在としたものである。また、第１の当て板１３の外周とボルト９の基部との間には補強リブ１９が設けられ、また、第２の当て板１４の外周に補強リブ２０が設けられている。
【００２８】
各ボルト９はこの様にサブポール８に固定されているため、前記ボルト１５及びナット１６、及び固定ボルト１８を緩めれば、サブポール８の長手方向に摺動自在、固定自在であり、さらにサブポール８の軸を中心に回転及び固定自在である。
【００２９】
また、新規なアンテナ１１の前記係止金具１２は、図５に示すように、アンテナ１１の上下の一側に基板２１を設け、当該基板２１は一側に湾曲凹部２１ａを設け、当該湾曲凹部２１ａの両側からボルト２２、２２を略平行に突出させている。そして、当該二つのボルト２２、２２が貫通する孔（図示省略）を両側に有する受け板２３を設け、当該受け板２３を前記基板２１に対向させ、この基板２３の湾曲凹部２３ａと対向する位置に湾曲凹部２３ａを設けている。そしてこれらの基板２１と受け板２３により、前記サブポール８を挟持し、前記受け板２３の他面から突出する二つのボルト２２、２２にナット２４を螺着し、これらを締め付けて、アンテナ１１をサブポール８に固定している。
【００３０】
従って、この係止金具１２の受け板２３及びナット２４の締め付けにより、サブポール８へのアンテナ１１の取付けが極めて容易となっている。
【００３１】
それ故、前記既存のアンテナ４をアンテナ支持柱１から取り外し、上下にボルト９を有するサブポール８の、当該上下のボルト９を、アンテナ支持柱１の上下の取付金具３の孔３ａに通してナット１０、１０により固定し、さらに、当該サブポール８に、新規なアンテナ１１の一側の上下から突出する係止金具１２を固定して取り付ければよい。
【００３２】
その際、前記上下の取付金具３の位置と、サブポール８の上下のボルト９の位置が合わなくても、このボルト９の位置を変えることができるため、容易に取付けができる。また、係止金具１２もボルト、ナットによる取付けのため、アンテナ１１のサブポール８への取付けが容易である。
【００３３】
またさらに、地上でサブポール８にアンテナ１１を取付け、この状態で柱上等にのってサブポール８をアンテナ支持柱１に取り付けると、柱上等の高所での作業が短縮され、より安全である。
【図面の簡単な説明】
【００３４】
【図１】この発明の実施例１のアンテナの支持構造を示す側面図である。
【図２】この発明の実施例１のアンテナの支持構造取付金具、サブポール及びアンテナを示す拡大側面図である。
【図３】この発明の実施例１のアンテンの支持構造のサブポールのボルトの取付構造を示す側面図である。
【図４】この発明の実施例１のアンテンの支持構造のサブポールのボルトの取付構造を示す平面図である。
【図５】この発明の実施例１のアンテンの支持構造のアンテナの係止金具を示す平面図である。
【図６】既存の通信アンテナの支持構造を示す側面図である。
【図７】既存の通信アンテナの支持構造の要部拡大側面図である。
【符号の説明】
【００３５】
１      アンテナ支持柱              ２      アーム
３      取付金具                    ３ａ    孔
４      アンテナ                    ５      ボルト
６      ナット
８      サブポール                  ９      ボルト
１０    ナット                      １１    アンテナ
１２    係止金具                    １３    第１の当て板
１４    第２の当て板                １５    ボルト
１６    ナット                      １７    ナット
１８    固定ボルト                  １９    補強リブ
２０    補強リブ                    ２１    基板
２１ａ  湾曲凹部                    ２２    ボルト
２３    受け板                      ２３ａ  湾曲凹部
２４    ナット
【図１】
2012209740.tif 000003
【図２】
2012209740.tif 000004
【図３】
2012209740.tif 000005
【図４】
2012209740.tif 000006
【図５】
2012209740.tif 000007
【図６】
2012209740.tif 000008
【図７】
2012209740.tif 000009